(57)【要約】【課題】中皿に配された具材の見栄えを維持して具材を簡便に移動することができ、さらに容器内への具材の詰め合わせ、包装のし易さも併せ持つ新たな容器を提供する。【解決手段】第１容体１１は開口部１４の外縁に延設された第１フランジ部１５を備え、第２容体２０は収容部２１の外縁に延設され第１フランジ部と当接するとともに該第１フランジ部よりも張り出した第２フランジ部２５を備え、蓋体３０は蓋面部３１の外縁３３から第１容体側に垂下し第２フランジ部及び第１フランジ部を被覆する垂下部４０と、蓋面部側に向けて突設され第２フランジ部及び第１フランジ部と係合する垂下突部４５を垂下部に備え、蓋体と第１及び第２容体の嵌合時、垂下突部は第２フランジ部及び第１フランジ部より下方に位置し、蓋体の第１容体からの分離に際し、垂下突部と第２フランジ部との係合が維持されて蓋体とともに第２容体も第１容体から分離される。【選択図】図７
2017226448.tif 000002
【特許請求の範囲】
【請求項１】
上面が開口して開口部を形成する第１容体と、前記第１容体の前記開口部に載置される第２容体と、前記第２容体を包被するとともに前記第１容体の前記開口部に外嵌合する蓋体とを有する容器であって、
前記第１容体は、前記開口部の外縁に延設された第１フランジ部を備え、
前記第２容体は、収容部と、前記収容部の外縁に延設され前記第１フランジ部と当接するとともに該第１フランジ部よりも張り出した第２フランジ部を備え、
前記蓋体は、蓋面部と、前記蓋面部の外縁から前記第１容体側に垂下し前記第２フランジ部及び前記第１フランジ部を被覆する垂下部と、前記蓋面部側に向けて突設され前記第２フランジ部及び前記第１フランジ部と係合する垂下突部を前記垂下部に備え、
前記蓋体と、前記第１容体及び前記第２容体の嵌合時、前記垂下突部は前記第２フランジ部及び前記第１フランジ部より下方に位置していて、
前記蓋体の前記第１容体からの分離に際し、前記垂下突部と前記第２フランジ部との係合が維持されて前記蓋体とともに前記第２容体も前記第１容体から分離される
ことを特徴とする容器。
【請求項２】
前記第２容体は、収容部と、前記収容部の外縁に延設され前記第１フランジ部と当接するとともに該第１フランジ部よりも張り出した第２フランジ部と、前記第２フランジ部の端部にて前記第１容体側に垂下する端垂下部を備え、
前記蓋体は、蓋面部と、前記蓋面部の外縁から前記第１容体側に垂下し前記端垂下部及び前記第１フランジ部を被覆する垂下部と、前記垂下部に前記蓋面部側に向けて形成された垂下突部を備え、
前記蓋体と、前記第１容体及び前記第２容体の嵌合時、前記垂下突部は前記端垂下部及び前記第１フランジ部より下方に位置していて、
前記蓋体の前記第１容体からの分離に際し、前記垂下突部と前記端垂下部との係合が維持されて前記蓋体とともに前記第２容体も前記第１容体から分離される請求項１に記載の容器。
【請求項３】
前記第２容体の前記収容部に区画部が形成されている請求項１または２に記載の容器。
【請求項４】
前記第２容体につまみ部または指掛け部が備えられている請求項１ないし３のいずれか１項に記載の容器。
【請求項５】
前記蓋体に蓋つまみ部または蓋指掛け部が備えられている請求項１ないし４のいずれか１項に記載の容器。
【請求項６】
前記第１容体の前記第１フランジ部に折曲げ部が形成されている請求項１ないし５のいずれか１項に記載の容器。
【請求項７】
前記蓋体が合成樹脂シートの成形体である請求項１ないし６のいずれか１項に記載の容器。
【発明の詳細な説明】
【技術分野】
【０００１】
本発明は容器に関し、特に中皿を備えるとともに中皿内に収容された物品の移し替えを容易にすることができる容器に関する。
【背景技術】
【０００２】
近年、コンビニエンスストア等で販売される飲食物の種類は極めて多彩であり、惣菜や弁当やサンドイッチ等に加えてサラダ、デザート、または麺類、その他の加工食品類と広がりを見せている。このような食品を販売する場合、合成樹脂シート製の容器本体に蓋体を重ね合わせた形態の容器が多用されている。
【０００３】
列記の食品のうち、弁当類では１個の容器内に全ての食材を盛りつける包装、販売が一般的である。これは、詰め合わされる食材同士の味がよくなじみ、全体として美味しさを呈する加工、調理法によるためである。また、使用される食材の水分含有率も比較的そろっているためである。これに対し、主に蕎麦、うどん、パスタ等の麺類の場合、製造時点で麺類とその上に載せる食材とを一緒とすることもある。しかし、麺類とその上に載せる食材の水分含有率との間に差があることもある。このことから、喫食時にすでにふやけた状態となり食味が悪くなりやすい。近年、食味に対する要望が高まっているとともに、各小売店、販売者にとって、他業者との差別化、顧客満足度を得るために無視できない問題である。
【０００４】
そこで、比較的簡便な対応として、図１１の断面図に示されるような容器本体１１１及び蓋体１３０からなり、その中に中皿１２０が収容された容器１００がある。当該容器１００によると、中皿１２０は容器本体１１１のフランジ部１１５に載置されて開口部１１４に嵌合される。中皿１２０上の具材を容器本体１１１側へ移す場合、中皿１２０はいったん持ち上げられた後、中皿１２０から容器本体１１１側へ具材は箸やスプーンで移されることが多い。この場合、中皿１２０の仕切り１２４等が邪魔になり上手く容器本体１１１へ移せずに、容器１００（中皿１２０）からこぼしてしまうこともある。
【０００５】
そこで、中皿の具材を容器本体側へ簡単に移すことのできる容器として、中皿内の具材の収容部に剥離可能な保護フィルムを貼着し、使用時にこの中皿を反転させるとともに、当該保護フィルムを引っ張り、一度に中皿内の具材を容器本体側へ落下させる容器が提案されている（特許文献１参照）。特許文献１の容器によると、中皿内の具材の配置はほぼそのまま移すことができ、また、中皿の具材を一度に落下させる面白さが加わって一定の評価を得ていた。しかしながら、具材を所定位置に詰め合わせた後の保護フィルムの貼着が手間となっていた。
【０００６】
一連の経緯から、具材の見栄えを維持しながら中皿上の具材を簡便に移動することができ、さらに容器内への具材の詰め合わせ、包装のし易さも併せ持つ新たな容器が求められるに至った。
【先行技術文献】
【特許文献】
【０００７】
【特許文献１】特開２０１２−１０１８４０号公報
【発明の概要】
【発明が解決しようとする課題】
【０００８】
本発明は、前記の点に鑑みなされたものであり、中皿に配された具材の見栄えを維持して具材を簡便に移動することができ、さらに容器内への具材の詰め合わせ、包装のし易さも併せ持つ新たな容器を提供するものである。
【課題を解決するための手段】
【０００９】
すなわち、請求項１の発明は、上面が開口して開口部を形成する第１容体と、前記第１容体の前記開口部に載置される第２容体と、前記第２容体を包被するとともに前記第１容体の前記開口部に外嵌合する蓋体とを有する容器であって、前記第１容体は、前記開口部の外縁に延設された第１フランジ部を備え、前記第２容体は、収容部と、前記収容部の外縁に延設され前記第１フランジ部と当接するとともに該第１フランジ部よりも張り出した第２フランジ部を備え、前記蓋体は、蓋面部と、前記蓋面部の外縁から前記第１容体側に垂下し前記第２フランジ部及び前記第１フランジ部を被覆する垂下部と、前記蓋面部側に向けて突設され前記第２フランジ部及び前記第１フランジ部と係合する垂下突部を前記垂下部に備え、前記蓋体と、前記第１容体及び前記第２容体の嵌合時、前記垂下突部は前記第２フランジ部及び前記第１フランジ部より下方に位置していて、前記蓋体の前記第１容体からの分離に際し、前記垂下突部と前記第２フランジ部との係合が維持されて前記蓋体とともに前記第２容体も前記第１容体から分離されることを特徴とする容器に係る。
【００１０】
請求項２の発明は、前記第２容体は、収容部と、前記収容部の外縁に延設され前記第１フランジ部と当接するとともに該第１フランジ部よりも張り出した第２フランジ部と、前記第２フランジ部の端部にて前記第１容体側に垂下する端垂下部を備え、前記蓋体は、蓋面部と、前記蓋面部の外縁から前記第１容体側に垂下し前記端垂下部及び前記第１フランジ部を被覆する垂下部と、前記垂下部に前記蓋面部側に向けて形成された垂下突部を備え、前記蓋体と、前記第１容体及び前記第２容体の嵌合時、前記垂下突部は前記端垂下部及び前記第１フランジ部より下方に位置していて、前記蓋体の前記第１容体からの分離に際し、前記垂下突部と前記端垂下部との係合が維持されて前記蓋体とともに前記第２容体も前記第１容体から分離される請求項１に記載の容器に係る。
【００１１】
請求項３の発明は、前記第２容体の前記収容部に区画部が形成されている請求項１または２に記載の容器に係る。
【００１２】
請求項４の発明は、前記第２容体につまみ部または指掛け部が備えられている請求項１ないし３のいずれか１項に記載の容器に係る。
【００１３】
請求項５の発明は、前記蓋体に蓋つまみ部または蓋指掛け部が備えられている請求項１ないし４のいずれか１項に記載の容器に係る。
【００１４】
請求項６の発明は、前記第１容体の前記第１フランジ部に折曲げ部が形成されている請求項１ないし５のいずれか１項に記載の容器に係る。
【００１５】
請求項７の発明は、前記蓋体が合成樹脂シートの成形体である請求項１ないし６のいずれか１項に記載の容器に係る。
【発明の効果】
【００１６】
請求項１の発明に係る容器によると、上面が開口して開口部を形成する第１容体と、前記第１容体の前記開口部に載置される第２容体と、前記第２容体を包被するとともに前記第１容体の前記開口部に外嵌合する蓋体とを有する容器であって、前記第１容体は、前記開口部の外縁に延設された第１フランジ部を備え、前記第２容体は、収容部と、前記収容部の外縁に延設され前記第１フランジ部と当接するとともに該第１フランジ部よりも張り出した第２フランジ部を備え、前記蓋体は、蓋面部と、前記蓋面部の外縁から前記第１容体側に垂下し前記第２フランジ部及び前記第１フランジ部を被覆する垂下部と、前記蓋面部側に向けて突設され前記第２フランジ部及び前記第１フランジ部と係合する垂下突部を前記垂下部に備え、前記蓋体と、前記第１容体及び前記第２容体の嵌合時、前記垂下突部は前記第２フランジ部及び前記第１フランジ部より下方に位置していて、前記蓋体の前記第１容体からの分離に際し、前記垂下突部と前記第２フランジ部との係合が維持されて前記蓋体とともに前記第２容体も前記第１容体から分離されるため、容器内への具材等の詰め合わせや包装が容易であり、食品の見栄えが損なわれることなく第２容体（中皿）上の具材の移動も簡便に行うことができる。
【００１７】
請求項２の発明に係る容器によると、請求項１の発明において、前記第２容体は、収容部と、前記収容部の外縁に延設され前記第１フランジ部と当接するとともに該第１フランジ部よりも張り出した第２フランジ部と、前記第２フランジ部の端部にて前記第１容体側に垂下する端垂下部を備え、前記蓋体は、蓋面部と、前記蓋面部の外縁から前記第１容体側に垂下し前記端垂下部及び前記第１フランジ部を被覆する垂下部と、前記垂下部に前記蓋面部側に向けて形成された垂下突部を備え、前記蓋体と、前記第１容体及び前記第２容体の嵌合時、前記垂下突部は前記端垂下部及び前記第１フランジ部より下方に位置していて、前記蓋体の前記第１容体からの分離に際し、前記垂下突部と前記端垂下部との係合が維持されて前記蓋体とともに前記第２容体も前記第１容体から分離されるため、より確実に第１容体から蓋体とともに第２容体を分離させることが可能となる。
【００１８】
請求項３の発明に係る容器によると、請求項１または２の発明において、前記第２容体の前記収容部に区画部が形成されているため、簡便に見栄えの向上を図ることができるとともに、異なる種類の具材同士の混合を容易に回避することが可能となる。
【００１９】
請求項４の発明に係る容器によると、請求項１ないし３のいずれか１項に記載の発明において、前記第２容体につまみ部または指掛け部が備えられているため、蓋体と第２容体との嵌合が解除しやすくなる。
【００２０】
請求項５の発明に係る容器によると、請求項１ないし４のいずれか１項に記載の発明において、前記蓋体に蓋つまみ部または蓋指掛け部が備えられているため、蓋体と第１容体との嵌合が解除しやすくなる。
【００２１】
請求項６の発明に係る容器によると、請求項１ないし５のいずれか１項に記載の発明において、前記第１容体の前記第１フランジ部に折曲げ部が形成されているため、開口部の強度が高められて保形性が確保される。
【００２２】
請求項７の発明に係る容器によると、請求項１ないし６のいずれか１項に記載の発明において、前記蓋体が合成樹脂シートの成形体であるため、蓋体と第１容体または第２容体との嵌合を円滑に解除することが可能となる。
【図面の簡単な説明】
【００２３】
【図１】本発明の一実施形態に係る容器の分解斜視図である。
【図２】封止状態の容器の全体端面図である。
【図３】封止状態の容器の要部拡大端面図である。
【図４】他の実施形態に係る容器の分解斜視図である。
【図５】他の実施形態に係る容器の封止状態の要部拡大端面図である。
【図６】開封時の容器の要部拡大端面図である。
【図７】開封後の容器の全体端面図である。
【図８】開封後の容器の要部拡大端面図である。
【図９】第２容体と蓋体とを分離した状態の容器の全体端面図である。
【図１０】具材移動時の部分端面図である。
【図１１】従来の容器の全体端面図である。
【発明を実施するための形態】
【００２４】
図１，２に示す容器１０は、コンビニエンスストア等で販売される加工食品のうち、特に複数の食材を分離して収容するためのものであって、第１容体１１と、第２容体２０と、蓋体３０とを有する。この容器１０に収容される食品は特に限定されるものではないが、例えば蕎麦、うどん、冷やし中華、パスタ等の麺類、親子丼、中華丼、牛丼等の丼物（弁当）、サラダ類等が主として収容される。
【００２５】
容器１０は、例えば合成樹脂シートの成形体からなる。容器１０を構成する合成樹脂シートとしては、ポリエチレン、ポリプロピレン、ポリスチレン、ポリエチレンテレフタレート等の熱可塑性樹脂のシート、さらにはポリ乳酸等の生分解性樹脂の熱可塑性樹脂のシート等が挙げられる。前記の合成樹脂シートは真空成形により図示をはじめとする各種形状に成形される。合成樹脂シートの厚さは適宜ではあるものの、概ね１ｍｍ以下の厚さである。また、容器１０の材料は、紙製その他の可撓性素材から製造することもできる。
【００２６】
容器１０を構成する第１容体１１、第２容体２０、蓋体３０の組み合わせにおいて、それぞれ同一材料で形成してもよいし、異なる材料で形成してもよい。特に、容器１０を構成する第１容体１１、第２容体２０、蓋体３０のうち、第１容体１１と第２容体２０は、合成樹脂シート等の可撓性素材に限らず、金属製、ガラス製、木製、紙製であってもよい。構成材料の種類は、用途、内容物、包装対象により適宜選択される。
【００２７】
第１容体１１は、容器１０に収容される食品のうち、米飯や麺等の主食材Ｆ１を収容する部材である。この第１容体１１は、図１，２に示すように、底部１２から壁部１３が立設され、その上面が開口されて開口部１４が形成される。第１容体１１の形状は、主食材Ｆ１を収容してその上方に十分な空間が形成可能な椀形状、鉢（丼）形状、皿形状等、適宜の容器形状からなる。この第１容体１１において、底部１２や開口部１４の形状としては、円形状や多角形状等、用途に応じて適宜であり、底部１２と開口部１４とが同形でもよいし、異なっていてもよい。
【００２８】
第１容体１１の開口部１４には、外縁に延設された第１フランジ部１５が備えられている。第１フランジ部１５には、図２，３に示すように、開口部１４からの伸長方向と反対側に折り返された折曲げ部１６が形成されている。折曲げ部１６により、開口部１４の強度が高められて保形性が確保される。加えて、第１フランジ部１５の端部分は折曲げ部１６となり直接露出しないため、端部分に接触して指先を怪我するようなおそれも低下する。さらに、蓋体３０を第１容体１１から取り外す際の抵抗も軽減される。特に図１に示すように、折曲げ部１６には加工時の折曲げ部１６の破損を抑制するため、ローレット溝部１７が形成されている。このローレット溝部１７は、縦方向に列状の微細な溝として刻設される。このローレット溝部１７の形成に際しては公知の刻設器具が用いられる。ローレット溝部１７の形成により、縁部分の曲げ加工は容易となる。
【００２９】
第２容体２０は、容器１０に収容される食品のうち、主食材Ｆ１以外の食材である具材Ｆ２を載置する部材であり、図２に示すように、第１容体１１の開口部１４に載置される。この第２容体２０は、喫食前に主食材Ｆ１と具材Ｆ２との混合を避けてできたての食味に近づけるとともに、主食材Ｆ１と具材Ｆ２とを分離して具材を並べることで店頭販売時等での見た目の華やかさを演出する。
【００３０】
第２容体２０は、図１，２に示すように、収容部２１と、第２フランジ部２５とを備える。収容部２１は、具材Ｆ２の載置部に相当し、載置面２２が収容壁部２３によって囲まれている。また、収容部２１には区画部２４が形成される。区画部２４は載置面２２に立設された壁部であり、複数種類の具材Ｆ２ａ，Ｆ２ｂを収容する場合に各具材Ｆ２ａ，Ｆ２ｂごとに隔離して配置することが可能となる。区画部２４によって具材Ｆ２ａ，Ｆ２ｂごとに隔離配置することにより、簡便に見栄えの向上を図ることができ、主食材Ｆ１と具材Ｆ２との混合を回避するだけでなく異なる種類の具材Ｆ２ａ，Ｆ２ｂ同士の混合を容易に回避することが可能となる。
【００３１】
第２フランジ部２５は、図３に示すように、収容部２１の外縁に延設され、第１フランジ部１５の上面に当接（載置）される。特に第２フランジ部２５は、第１フランジ部１５への載置時に、端部２６が第１フランジ部１５よりも外側へ張り出した状態となる。この第２フランジ部２５の端部２６には、載置時に第１容体１１側（下側）に垂下する端垂下部２７が備えられている。なお、図４，５に示すように、第２フランジ部２５Ａの端部２６Ａの形状は、単に平面状に形成して第１フランジ部１５の外側へ張り出させてもよい。当該構造によると、成形は簡素化される。
【００３２】
また、第２容体２０には、図１に示すように、指掛け部２８が備えられている。指掛け部２８は、後述する蓋体３０との嵌合を解除しやすくするための部位であって、使用者が指を差し入れるとともに引っ掛けて第２容体２０を引き上げ、嵌合解除を可能とする。指掛け部２８の形状等は特に限定されないが、例えば図示のように第２フランジ部２５に形成された円形の穴部の他、リング形状や鉤状等の適宜の形状とされる。また、指掛け部２８の代わりに、図４に示すように、つまみ部２９としてもよい。つまみ部２９は、使用者が指でつまむことにより、第２容体２０の嵌合解除を可能とする。つまみ部２９の形状等は特に限定されないが、例えば図４に図示のように第２フランジ部２５に形成された舌片形状の面部である。
【００３３】
蓋体３０は、図１，２に示すように、第２容体２０を包被するとともに第１容体１１の開口部１４に外嵌合することにより、第１容体１１及び第２容体２０内の内容物を保護する部材であって、蓋面部３１と、垂下部４０と、垂下突部４５とを備える。蓋面部３１は、第１容体１１の開口部１４を被覆する部位であって、蓋体３０の天面に相当する面一状の平面部３２と、平面部３２から外縁３３へ湾曲した湾曲面部３４とからなる。
【００３４】
垂下部４０は、図２，３，５に示すように、蓋面部３１の外縁３３から第１容体１１側（下側）に垂下して、第２フランジ部２５及び第１フランジ部１５を被覆する部位である。この蓋体３０の外縁３３の垂下部４０には、図１に示すように、蓋体３０と第１容体１１との嵌合を解除しやすくするための蓋つまみ部３５が備えられている。蓋つまみ部３５は、使用者が指でつまむことにより蓋体３０を引き上げ、第１容体１１との嵌合の解除を可能とする。蓋つまみ部３５の形状等は特に限定されないが、例えば蓋体３０の外縁３３（垂下部４０）から外側へ延設された舌片形状である。また、蓋つまみ部３５の代わりに、図４に示すように蓋指掛け部３６としてもよい。蓋指掛け部３６は、使用者が指を掛けることにより、第２容体２０の嵌合解除を可能とする。蓋指掛け部３６の形状等は特に限定されないが、例えば図４に図示のように蓋体３０の外縁３３（垂下部４０）から外側へ延設された平面部分に形成された穴部の他、鉤状等の適宜の形状とされる。
【００３５】
垂下突部４５は、図２，３，５に示すように、垂下部４０の蓋面部３１側（内周側）に向けて突設されて、第２フランジ部２５及び第１フランジ部１５と係合する部位である。垂下突部４５は、垂下部４０の内周面の全周に亘って突条に形成されてもよいし、一部分に形成されてもよい。図示の垂下突部４５の形状は一部分に形成した例であり、垂下部４０の内周面４１の複数個所に形成されている。
【００３６】
この垂下突部４５は、蓋体３０と第１容体１１及び第２容体２０との嵌合時に、第２フランジ部２５及び第１フランジ部１５より下方に位置している。このため、蓋体３０は、第２フランジ部２５及び第１フランジ部１５に対して一体に外嵌合される。なお、垂下突部４５は、図３に示すように、第２フランジ部２５の端部２６に端垂下部２７が形成されている場合、端垂下部２７及び第１フランジ部１５より下方に位置して第２フランジ部２５の端垂下部２７及び第１フランジ部１５に対して一体に外嵌合される。
【００３７】
ここで、蓋体３０の開封手順、すなわち第１容体１１及び第２容体２０との分離（嵌合解除）の手順と、開封後の使用例について説明する。まず、蓋体３０の封止時では、図２，３に示すように、蓋体３０の垂下突部４５が第２容体２０の第２フランジ部２５及び第１容体１１の第１フランジ部１５の下部に係合されて、外嵌合状態となっている。使用者は、蓋体３０の蓋つまみ部３５をつまんで（または蓋指掛け部３６に指を掛けて）、上方へ引き上げることにより、蓋体３０の開封を行う。
【００３８】
この時、蓋体３０が合成樹脂シートの成形体であることから、図６に示すように、垂下突部４５では蓋体３０の引き上げにより垂下部４０を撓み変形させながら、第１フランジ部１５を乗り越えるようにして第１フランジ部１５との係合が円滑に解除される。また、垂下突部４５は、垂下部４０の撓み変形によって第１フランジ部１５を乗り越えるが、第２フランジ部２５が第１フランジ部１５より外側へ張り出していることにより、第２フランジ部２５の端垂下部２７との係合は維持される。そのため、第２容体２０は、図６に図示のように蓋体３０の引き上げに伴って第２フランジ部２５の端垂下部２７が垂下突部４５に支持された状態で引き上げられる。従って、図７，８に示すように、蓋体３０とともに第２容体２０も第１容体１１から分離される。なお、図４，５に示すような端部２６Ａの形状が平面状の第２フランジ部２５Ａの場合でも、第２フランジ部２５Ａが第１フランジ部１５より外側へ張り出しているため、垂下突部４５と第２フランジ部２５Ａとの係合が維持されて蓋体３０とともに第２容体２０も第１容体１１から分離される。
【００３９】
続いて、第１容体１１から一体に分離された第２容体２０及び蓋体３０は、図９に示すように、上下が反転される（ひっくり返される）。すなわち、開封直後には第２容体２０が下側で蓋体３０が上側の位置関係であったが、これが反転されて第２容体２０が上側とされるとともに蓋体３０が下側とされる。このため、第２容体２０の収容部２１（載置面２２）に載置されていた具材Ｆ２は、第２容体２０Ａ側（上側）から蓋体３０Ａ側（下側）へ、ほぼそのままの配置で落下される。蓋体３０Ａ側へ落下した具材Ｆ２は、蓋体３０Ａの蓋面部３１上、特に面一状の平面部３２に載置される。このように、反転状態の蓋体３０Ａでは、蓋面部３１の平面部３２が具材Ｆ２の載置部として作用する。また、反転状態であっても、第２容体２０の区画部２４が蓋面部３１の平面部３２と近接しているため、区画部２４による具材Ｆ２ａ，Ｆ２ｂ同士の隔離が維持され、見栄えが損なわれない。
【００４０】
第２容体２０は、蓋体３０とともに反転されて具材Ｆ２を蓋体３０側へ移動（落下）させた後、図９に示すように、蓋体３０から分離（嵌合解除）される。第２容体２０の分離に際しては、蓋体３０が合成樹脂シート成形体であるため、使用者が指掛け部２８に指を掛けて（またはつまみ部２９をつまんで）、第２容体２０を引き上げることによって、第２フランジ部２５と垂下突部４５との係合を円滑に解除することが可能である。
【００４１】
第２容体２０が分離された反転状態の蓋体３０Ａは、上面が開放されて一時的に具材Ｆ２の皿部材として作用する。そして、主食材Ｆ１が収容された第１容体１１へ、箸やスプーンを用いて皿部材としての蓋体３０Ａから具材Ｆ２を移動させたり、蓋体３０Ａを傾けて具材Ｆ２を落としたりする等、適宜の手順で具材Ｆ２の移し替えが行われ（図１０参照）、喫食が可能となる。蓋体３０からの具材Ｆ２の移動を容易にするため、蓋体３０では湾曲面部３４の傾斜を緩やかにした部位を形成してもよい。
【００４２】
以上図示し説明したように、本発明の容器では、第１容体の開口部に第２容体が載置され、蓋体が第２容体を包被するとともに第１容体に外嵌合されるため、具材の詰め合わせや包装が容易である。そして、第１容体と第２容体とを備えることにより、主食材と具材とが混合されず隔離されるため、食品の見栄えが損なわれない。
【００４３】
特に、第２容体を第１容体へ載置させた場合、第２フランジ部が第１フランジ部よりも外側へ張り出した状態となり、第１フランジ部及び第２フランジ部と係合して外嵌合される蓋体では、垂下突部が第２フランジ部及び第１フランジ部より下方に位置する。そのため、第２フランジ部は、蓋体と第１フランジ部との嵌合が解除されても、第１フランジ部より外側へ張り出していることから垂下突部との係合が維持される。これにより、蓋体とともに第２容体も第１容体から分離可能となるため、蓋体とともに第２容体を反転させることによって見栄えを損なうことなく具材を蓋体へ移動させることができ、さらにこの蓋体から第１容体へ簡便に具材の移動が可能である。
【００４４】
また、第２フランジ部の端部に端垂下部を形成することにより、第２フランジ部の第１フランジ部から張り出した部分（端垂下部）を蓋体の垂下突部に対してより近接させることができるため引っ掛かりやすくなり、第１容体と蓋体との分離時により確実に第２フランジ部と垂下突部との係合を維持することができる。
【産業上の利用可能性】
【００４５】
以上の通り、本発明の容器は、容器内への具材等の詰め合わせや包装が容易であり、食品の見栄えが損なわれることなく第２容体（中皿）上の具材の移動も簡便に行うことができる。従って、主食材と具材等の複数の食材を隔離して収容する加工食品用の容器としての使用に最適である。
【符号の説明】
【００４６】
１０  容器
１１  第１容体
１２  底部
１３  壁部
１４  開口部
１５  第１フランジ部
１６  折曲げ部
１７  ローレット溝部
２０  第２容体
２０Ａ  反転状態の第２容体
２１  収容部
２２  載置面
２３  収容壁部
２４  区画部
２５，２５Ａ  第２フランジ部
２６，２６Ａ  第２フランジ部の端部
２７  端垂下部
２８  指掛け部
２９  つまみ部
３０  蓋体
３０Ａ  反転状態の蓋体
３１  蓋面部
３２  平面部
３３  外縁
３４  湾曲面部
３５  蓋つまみ部
３６  蓋指掛け部
４０  垂下部
４１  内周面
４５  垂下突部
Ｆ１  主食材
Ｆ２，Ｆ２ａ，Ｆ２ｂ  具材
【図１】
2017226448.tif 000003
【図２】
2017226448.tif 000004
【図３】
2017226448.tif 000005
【図４】
2017226448.tif 000006
【図５】
2017226448.tif 000007
【図６】
2017226448.tif 000008
【図７】
2017226448.tif 000009
【図８】
2017226448.tif 000010
【図９】
2017226448.tif 000011
【図１０】
2017226448.tif 000012
【図１１】
2017226448.tif 000013